(57)【要約】【課題】  被写体画像に色味を付ける設定を簡単にする。【解決手段】  適正なホワイトバランスとする3色のうちの赤色適正ＷＢゲインＲｇ０と、青色適正ＷＢゲインＢｇ０とに、選択されている色味に応じた色味係数α，βを乗算して赤色補正ＷＢゲインＲｇ１，青色補正ＷＢゲインＢｇ１を算出する。赤色補正ＷＢゲインＲｇ１，青色補正ＷＢゲインＢｇ１と、緑色適正ＷＢゲインＧｇ０とを画像信号処理部に設定し、ホワイトバランスを補正する。【選択図】        図５
2006020165.tif 000002
【特許請求の範囲】
【請求項１】
イメージセンサから得られる撮影画像の各色成分を個別に増幅するホワイトバランスの設定方法において、
外部からの操作で色毎に指定された係数と、各色について適正なホワイトバランスとするために決定されたゲインとを対応する色同士で乗算して得られるゲインをホワイトバランス用のゲインとして設定し、撮影画像の各色成分を個別に増幅することを特徴とするホワイトバランスの設定方法。
【請求項２】
特定の１色を除く他の色について外部からの操作で係数を指定し、前記特定の１色については適正なホワイトバランスとするために決定されたゲインをホワイトバランスのゲインとして設定することを特徴とする請求項１記載のホワイトバランスの設定方法。
【発明の詳細な説明】
【技術分野】
【０００１】
本発明は、撮影装置のホワイトバランスの設定方法に関するものである。
【背景技術】
【０００２】
撮影装置、例えばデジタルカメラでは、ＣＣＤイメージセンサ等のイメージセンサから出力される撮影信号をデジタルの画像データに変換してメモリカード等の記録媒体に記録している。このようなデジタルカメラでは、カラーバランスの崩れをなくして被写体の色を正確に再現するために、ホワイトバランスを調整し、設定する機能を有している。カラーバランスの崩れは、イメージセンサの波長に対する感度の違いや、光源の色温度の違い等によって生じるものであり、ホワイトバランスの調整は、白あるいはグレーの被写体を撮影したときに、赤色，緑色，青色の各レベルが同じになるように、撮影信号あるいは画像データを増幅するゲインを調整することによって行われる。
【０００３】
デジタルカメラでは、ホワイトバランスの設定機能として、オートホワイトバランス、リセットホワイトバランス，プリセットホワイトバランスが知られている。オートホワイトバランスは、色温度の変化に追随して正しい色が常に表現されるようにゲインを自動調整し設定するものであり、オートトラッキングホワイトバランスとも呼ばれる。
【０００４】
リセットホワイトバランスは、ワンプッシュホワイトバランスとも呼ばれるものであり、撮影に利用する光源の下で白色や灰色の紙等の被写体を撮影した状態にして、ホワイトバランスの設定指示をすることで、その白色や灰色の紙等に色味が付かないように各色のゲインが決定される。そして、そのゲインの下で以降の撮影が行われる。プリセットホワイトバランスは、予め用意された光源の種類、例えば「昼光」，「白熱灯」，「蛍光灯」等から操作者が選択することにより、その選択された光源に応じて予め調整されたゲインを設定するものである。
【０００５】
また、上記のような設定機能でホワイトバランスを設定した後に、手動で各色のゲイン自体を増減することにより、好みの色味とする機能を備えたデジタルカメラが特許文献１によって知られている。これによれば、撮影者が意図的にカラーバランスを崩して、画像全体に色味を付けて撮影することができる。なお、特許文献１で「プリセットＷＢ」と称されている機能は、上記リセットホワイトバランスに相当するものである。
【０００６】
【特許文献１】特開２００２−１８５９７２号公報
【発明の開示】
【発明が解決しようとする課題】
【０００７】
ところで、上記のようなデジタルカンラで、好みの色味となるようにホワイトバランスのゲインを増減する場合には、前述のように、例えばプリセットホワイトバランスを用いて適切なホワイトバランスとなるようにゲインの設定を行った後に、赤色と青色のゲイン自体をそれぞれ増減し、所望の色味となるようにする。しかし、このような設定手法では、色味の確認しながらゲインの増減を行わなければならず、色味の設定操作に時間がかかるという問題があった。また、光源が変わった場合には、再度ゲインの調節を行う必要があった。さらに、色味を設定するのにゲイン自体を増減させているため、光源の色温度に応じてゲインを変化させるオートホワイトバランスでは、色味を付けた撮影を行うことができなかった。
【０００８】
本発明は、上記問題点を解消するためになされたもので、簡単に所望とした色味の設定を行うことができるホワイトバランスの設定方法を提供することを目的とする。
【課題を解決するための手段】
【０００９】
請求項１記載のホワイトバランスの設定方法では、外部からの操作で色毎に指定された係数と、各色について適正なホワイトバランスとするために決定されたゲインとを対応する色同士で乗算して得られるゲインをホワイトバランス用のゲインとして設定し、撮影画像の各色成分を個別に増幅するものである。
【００１０】
請求項２記載のホワイトバランスの設定方法では、特定の１色を除く他の色について外部からの操作で係数を指定し、前記特定の１色については適正なホワイトバランスとするために決定されたゲインをホワイトバランスのゲインとして設定するものである。
【発明の効果】
【００１１】
適正なホワイトバランスとするために決定されたゲインに、色毎に指定された係数を乗算したものをホワイトバランス用のゲインとして用いるから、色味に応じた係数を指定しさえすれば所望の色味となるようにホワイトバランスのゲインが補正されるため、色味の設定を短時間で簡単にすることできる。また、適正なホワイトバランスとするために決定されたゲイン自体の増減によって色味を変化させないので、光源の色温度の変化に追随してホワイトバランスを適正とするゲインが変化しても、色味を再設定する必要がない。
【発明を実施するための最良の形態】
【００１２】
本発明を実施したデジタルカメラの正面を図１に、背面を図２に示す。デジタルカメラ１０の前面には、撮影レンズ１１、ストロボ発光部１２，光学ファインダ１３の対物窓１３ａ，レンズバリア１４が設けられている。レンズバリア１４は、撮影レンズ１１、ストロボ発光部１２を覆った閉じ位置と、図１に示すように、それらの前面から退避して撮影可能な開き位置との間でスライド自在にされている。
【００１３】
撮影レンズ１１の奧には、ＣＣＤイメージセンサ１５（図３参照）が配されている。ＣＣＤイメージセンサ１５で撮影された被写体画像は、デジタルカメラ１０の背面に設けられたＬＣＤ１６に、いわゆるスルー画像として表示される。また、背面には光学ファインダ１３の接眼窓１３ｂが設けられている。ＬＣＤ１６に表示されるスルー画像を観察する他に、光学ファインダ１３を用いてフレーミングを行うことができる。
【００１４】
デジタルカメラ１０の上面には、レリーズボタン１８が設けられている。このレリーズボタン１８は、２段階押しとなっており、レリーズボタン１８を軽く押圧して半押し位置とすると、自動露出調整（ＡＥ）、自動焦点調整（ＡＦ）等の各種撮影条件の設定、すなわち撮影準備処理が行われる。撮影準備処理が完了すると、その設定はレリーズボタン１８の押圧を解除するまで保持される。レリーズボタン１８を半押し位置からさらに押し込んで全押し位置とすると、撮影準備処理で設定された撮影条件で静止画の撮影が行われる。この撮影で得られる１画面分の撮影信号は、画像データに変換されて、メモリカードスロット２１に装着されたメモリカード２２に記録される。
【００１５】
デジタルカメラ１０の背面には、ＬＣＤ１６のほかに、電源のオン／オフ切替えを行う電源ボタン２４、撮影レンズ１１をズーミングするズーム操作ボタン２５、各種モードを選択するモードボタン２６、再生画像の選択やＬＣＤ１６に表示される設定画面で各種の設定の変更などの操作を行う操作キー２７が設けられている。
【００１６】
モードボタン２６の操作によって選択される動作モードとしては、静止画撮影を行う撮影モード、メモリカード２２に記録されている静止画像をＬＣＤ１６に表示する再生モード、および各種設定を行うセットアップモードなどがある。これら各動作モードは、モードボタン２６をスライド操作させることで、切替可能である。
【００１７】
撮影モードでの撮影時には、ホワイトバランスの設定モードとしては、リセットホワイトバランス（以下、ＲＷＢと称する）モードとオートホワイトバランス（以下、ＡＷＢと称する）モードとのいずれかを選択することができる。ＲＷＢモードを選択した場合には、そのモードの選択時に無彩色（白あるいはグレー）の被写体を撮影時の光源下で撮影しながらホワイトバランスの設定指示を行って、ホワイトバランスの設定を行う。また、ＡＷＢモードを選択した場合には、撮影中の被写体画像に基づいて自動的にホワイトバランスが設定され、光源の色温度の変化に追随して調整される。
【００１８】
ＲＷＢモードとＡＷＢモードとのいずれのモードにおいても、撮影する画像に色味を付けることができる。色味としては、各種のものが予め容易されている。例えば、昼光用に設定されたホワイトバランスの下で白熱球を光源とする撮影を行なったときのような暖色系色味や、逆に白熱灯用に設定されたホワイトバランスの下で昼光色の光源下で撮影を行なったときのような寒色系色味，色味を付けず色再現を正確にするための中性色味等が用意されている。
【００１９】
上記デジタルカメラ１０の電気的構成を図３に示す。ＣＰＵ３０には、ＲＯＭ３１，ＲＡＭ３２，ＥＥＰＲＯＭ３３が接続されている。ＲＯＭ３１には、各種シーケンスを実行するためのプログラムやパラメータが書き込まれている。ＣＰＵ３０は、レリーズボタン１８，ズーム操作ボタン２５，モードボタン２６，操作キー２７の操作に応答し、ＲＯＭ３１のプログラムにしたがって各部を制御する。ＲＡＭ３１は、撮影シーケンスなどを実行する際に必要なデータを一時的に記憶するワークメモリとして利用される。ＥＥＰＲＯＭ３３には、ホワイトバランスの調整に固定的に用いる緑色適正ＷＢゲインと、色味付けに用いる赤色色味係数α及び青色色味係数βとが予め記録されており、ＣＰＵ３０によって読み出される。
【００２０】
色味として、前述のように各種のものが用意されており、それらに対応する各色味係数α、βがＥＥＰＲＯＭ３３に記録されている。例えば中性色味には、それぞれが値「１」の色味係数α、βが記録されている。また、暖色系色味には、「１」よりも大きい赤色色味係数αと「１」よりも小さい青色色味係数βが記録され、暖色系色味には、「１」よりも小さい赤色色味係数αと「１」よりも大きい青色色味係数βが記録されている。
【００２１】
撮影レンズ１１とＣＣＤイメージセンサ１５との間に絞り３４が配されている。撮影レンズ１１，絞り３４には、レンズモータ３６，アイリスモータ３７が接続されている。これらのモータ３６，３７は、ＣＰＵ３０に接続されたモータドライバ３８，３９を介して制御される。レンズモータ３６は、ズーム操作ボタン２５の操作に連動して撮影レンズ１１をワイド側あるいはテレ側にズーミングする他、撮影レンズ１１のピント調節を行う。絞り３４は、アイリスモータ３７によって動作され、ＣＣＤイメージセンサ１５への入射光の光強度を調節する。
【００２２】
ＣＣＤイメージセンサ１５には、ＣＰＵ３０によって制御されるタイミングジェネレータ（ＴＧ）４１からのタイミング信号（クロックパルス）に基づいて、電荷蓄積時間、すなわち電子シャッタのシャッタ速度の制御や、電荷の転送等の動作が行われ、撮影レンズ１１を通して撮影した光学的な被写体画像を電気的な撮影信号に変換して出力する。
【００２３】
ＣＣＤイメージセンサ１５から出力される撮影信号は、アナログ信号処理部４２に入力される。このアナログ信号処理部４２は、ＣＤＳ（相関二重サンプリング）回路，アンプ，色分離回路などから構成されており、撮影信号に対してのノイズ除去、増幅を行った後に、赤色），緑色，青色の撮影信号に変換して出力する。Ａ／Ｄ変換器４３は、アナログ信号処理部４２から出力される各色の撮影信号を、赤色，緑色，青色の画像データに変換する。アナログ信号処理部４２及びＡ／Ｄ変換器４３は、タイミングジェネレータ４１からのタイミング信号が入力され、ＣＣＤイメージセンサ１５の出力動作に同期して動作する。
【００２４】
Ａ／Ｄ変換器４３からの各色の画像データは、画像入力コントローラ４５に送られる。画像入力コントローラ４５は、バス４６への画像データの入力を制御する。バス４６には、ＣＰＵ３０や画像入力コントローラ４５等が接続されており、このバス４６に接続された各部は、バス４６を介してＣＰＵ３０に制御されるとともに、相互間でデータの授受を行うことが可能になっている。
【００２５】
ＡＦ検出回路５１は、撮影レンズ１１のピント合せのために、画像入力コントローラ４５からの画像データを用いて撮影中の画像のコントラストを検出し、そのコントラスト情報をＣＰＵ３０に送る。ＣＰＵ３０は、コントラスト情報を参照し、撮影中の画像のコントラストが最大となるように、モータドライバ３８を介してレンズモータ３１を駆動することで、撮影レンズ１１のピントを被写体に合致させる。
【００２６】
ＡＥ検出回路５２は、画像入力コントローラ４５からの画像データに基づいて、撮影中の被写体画像の被写体輝度の検出を行い、その結果を被写体輝度情報としてＣＰＵ３０に送る。ＣＰＵ３０は、被写体輝度情報に基づいて適正となる絞り，電子シャッタのシャッタ速度を決定し、これらで撮影が行われるように制御する。
【００２７】
ＷＢ設定回路５３は、選択されているホワイトバランスの設定モードに応じた処理によって適正なホワイトバランスとするための赤色，青色適正ＷＢゲインを求め、これに色味の補正を加えた赤色，青色補正ＷＢゲインを算出する。このＷＢ設定回路５３によって得られる赤色，青色補正ＷＢゲインと、ＥＥＰＲＯＭ３３から読み出された緑色適正ＷＢゲインとが画像信号処理部５４に設定される。なお、この例では、緑色については、ホワイトバランス用のゲインとして、予め決められた緑色適正ＷＢゲインを用いているが、緑色の適正ＷＢゲイン，補正ＷＢゲインを算出したり、変化させてもよい。
【００２８】
画像信号処理部５４は、画像データに対して、ホワイトバランスの補正処理，ガンマ補正を行う。ホワイトバランスの補正のための各色のゲインは、前述のＷＢ設定回路５３によって設定される。
【００２９】
ＹＣ変換処理回路５５は、画像データをメモリカード２２に記録する際に、赤色，緑色，青色の画像データを輝度信号Ｙと色差信号Ｃｒ，Ｃｂに対応する画像データに変換する。また、再生モード下では、ＹＣ処理回路５５は、メモリカード２２から読み出した画像データを赤色，緑色，青色の画像データに変換する。
【００３０】
圧縮伸長回路５６は、画像データをメモリカード２２に記録するためのデータ圧縮と、メモリカード２２から読み出した圧縮された画像データの伸長を行う。メディアコントローラ５７は、メモリカード２２のデータの書き込み及び読み出しを制御する。レリーズボタン１８の操作に応答して得られる静止画の画像データは、画像信号処理部５４，ＹＣ変換処理回路５５，圧縮伸長処理回路５６でそれぞれ処理が施されてから、メディアコントローラ５７に送られて、メモリカード２２に書き込まれる。
【００３１】
ＳＤＲＡＭ５８には、ＬＣＤ１６に表示すべき画像データが書き込まれる。撮影モード下におけるスルー画像表示の際には、画像入力コントローラ４５から入力される画像データが画像信号処理回路５４で処理された後にＳＤＲＡＭ５８に次々に書き込まれ、これをＬＣＤドライバ５９が読み出してＬＣＤ１６を駆動する。
【００３２】
また、再生モード下では、メモリカード２２から読み出され、圧縮伸長部２４で伸長処理が行われた後に、ＹＣ変換処理回路５５で変換処理された各色の画像データがＳＤＲＡＭ５８に書き込まれ、これがＬＣＤドライバ５９によって繰り返し読み出されることにより、メモリカード２２に記録されている画像がＬＣＤ１６に表示される。
【００３３】
図４は、ＷＢ設定回路５３及び画像信号処理部５４のホワイトバランスに関連した機能ブロックを示すものである。ＷＢ設定回路５３の積算手段５３ａ，減算手段５３ｂ，ゲイン算出手段５３ｃは、ＲＷＢモード時に適正ＷＢゲインを算出し、ＡＷＢゲイン決定手段５３ｄは、オートホワイトバランスモード下で適正ＷＢゲインを算出する。
【００３４】
積算手段５３ａは、ＲＷＢモード時の設定指示に応答して、緑色積算値Ｇｉ，赤色積算値Ｒｉ，青色積算値Ｂｉと、緑色ＯＢ積算値Ｇｏｂ，赤色ＯＢ積算値Ｒｏｂ，青色ＯＢ積算値Ｂｏｂとを求める。各色積算値Ｇｉ，Ｒｉ，Ｂｉは、被写体画像に対応する画像データ、すなわちＣＣＤイメージセンサ１５の有効受光面内の画素に対応して得られる画像データを色毎に所定個数ずつ積算したものである。
【００３５】
一方の各色ＯＢ積算値Ｇｏｂ，Ｒｏｂ，Ｂｏｂは、ＣＣＤイメージセンサ１５のオプティカルブラック、すなわち暗電流補正用に遮光された受光素子に対応して得られる画像データを色毎に所定個数ずつ積算したものである。なお、各色積算値と各色ＯＢ積算値として、所定個数の画像データを積算した積算値を用いているが、積算平均値を用いてもよい。
【００３６】
減算手段５３ｂは、次の式（１）〜（３）に示すように、各色積算値Ｇｉ，Ｒｉ，
Ｂｉと、各色ＯＢ積算値Ｇｏｂ，Ｒｏｂ，Ｂｏｂとを対応する色同士で減算することにより、各色の減算値Ｇｓ，Ｒｓ，Ｂｓを求める。
Ｇｓ＝Ｇｉ−Ｇｏｂ・・・（１）
Ｒｓ＝Ｒｉ−Ｒｏｂ・・・（２）
Ｂｓ＝Ｂｉ−Ｂｏｂ・・・（３）
【００３７】
ゲイン算出手段５３ｃは、減算手段５３ｂからの各色の減算値Ｇｓ，Ｒｓ，Ｂｓと、ＣＰＵ３０によってＥＥＰＲＯＭ３３から読み出されて与えられる緑色適正ＷＢゲインＧｇ０とを用いて、次の式（４），（５）によって赤色適正ＷＢゲインＲｇ０，青色適正ＷＢゲインＢｇ０をそれぞれ求める。
Ｒｇ１＝Ｇｇ０×Ｇｓ／Ｒｓ・・・（４）
Ｂｇ１＝Ｇｇ０×Ｇｓ／Ｂｓ・・・（５）
【００３８】
白または灰色の被写体を撮影して、上記のようにして求められる赤色適正ＷＢゲインＲｇ０と、青色適正ＷＢゲインＢｇ０と、緑色適正ＷＢゲインＧｇ０との組み合せは、適切なホワイトバランス、すなわち白色や灰色に色味が付かないようにすることができるホワイトバランス用の組み合せとなる。
【００３９】
一方、ＡＷＢゲイン決定手段５３ｄは、ＡＷＢモード下において、適当な手法により、撮影で得られる各色の画像データに基づき、ＥＥＰＲＯＭ３３から読み出された緑色適正ＷＢゲインＧｇ０との組み合わせで、適切なホワイトバランスとなる赤色適正ＷＢゲインＲｇ０と、青色適正ＷＢゲインＢｇ０とを決定する。赤色適正ＷＢゲインＲｇ０と、青色適正ＷＢゲインＢｇ０の算出は、光源の色温度が変化する毎に行われる。
【００４０】
なお、いずれのモードにおいても、適正ＷＢゲインの決定の手法としては、種々のものを採用するすることができる。
【００４１】
ゲイン補正手段５３ｅは、次の式（６），（７）に示すように、ＲＷＢモードではゲイン算出手段５３ｄからの赤色適正ＷＢゲインＲｇ０と青色適正ＷＢゲインＢｇ０に、またＡＷＢモードでは、ＡＷＢゲイン決定手段５３ｄからの赤色適正ＷＢゲインＲｇ０と青色適正ＷＢゲインＢｇ０に、赤色，青色色味係数α，βを対応する色同士で乗算し、赤色補正ＷＢゲインＲｇ１と、青色補正ＷＢゲインＢｇ１とを算出する。色味係数α，βは、操作キー２７等の操作で選択された色味に応じたものが、ＣＰＵ３０によってＥＥＰＲＯＭ３３から読み出されてＷＢ設定回路５３に与えられる。
Ｒｇ１＝α×Ｒｇ０・・・（６）
Ｂｇ１＝β×Ｂｇ０・・・（７）
【００４２】
赤色補正ＷＢゲインＲｇ１，青色補正ＷＢゲインＢｇ１、緑色適正ＷＢゲインＧｇ０は、画像信号処理部５４にそれぞれ送られる。
【００４３】
画像信号処理部５４の緑色乗算手段５４ａは、緑色画像データに緑色適正ＷＢゲインＧｇ０を乗算する。また、赤色乗算器５４ｂは、赤色画像データに赤色補正ＷＢゲインＲｇ１を乗算し、青色乗算器５４ｃは、青色画像データに青色補正ＷＢゲインＢｇ１を乗算する。各色乗算器５４ａ〜５４ｃからの乗算結果が、ホワイトバランスが補正されるとともに色味が付けられた画像データとして出力される。
【００４４】
次に、上記構成の作用について、図５を参照しながら説明する。撮影する場合には、まずＲＷＢモードまたはＡＷＢモードを選択する。例えば、ＲＷＢモードを選択した場合には、白色または灰色の被写体、例えばグレーチャートを撮影した状態にし、さらに操作キー２７等を操作して色味を選択指定してから、ホワイトバランスの設定指示をする。
【００４５】
ＲＷＢモードの選択後に設定指示がされると、ＣＣＤイメージセンサ１５の撮影によって得られる撮影信号は、アナログ信号処理回路４２，Ａ／変換器４３を介して赤色，緑色，青色の画像データに変換された後に、画像入力コントローラ４５を介してＷＢ設定回路５３に送られる。このときに、ＣＣＤイメージセンサ１５から出力される撮影信号には、オプティカルブラックの受光素子に対応する撮影信号も含まれており、その撮影信号についても赤色，緑色，青色の撮影信号に変換された後に、Ａ／Ｄ変換器４３で赤色，緑色，青色の画像データに変換されて、ＷＢ設定回路５３に送られる。
【００４６】
また、設定指示に応答して、ＣＰＵ３０によって緑色適正ＷＢゲインＧｇ０と、選択された色味に応じた各色味係数α，βとがＥＥＰＲＯＭ３３から読み出されて、ＷＢ設定回路５３に送られる。
【００４７】
ＷＢ設定回路５３入力された画像データは、入力タイミング等に基づきその種類が判別されて、ＷＢ設定回路５３によって色毎に所定個数ずつ積算される。これにより、緑色積算値Ｇｉ，赤色積算値Ｒｉ，青色積算値Ｂｉ、緑色ＯＢ積算値Ｇｏｂ，赤色ＯＢ積算値Ｒｏｂ，青色ＯＢ積算値Ｂｏｂがそれぞれ求められる。
【００４８】
次に、各色積算値Ｇｉ，Ｒｉ，Ｂｉ、各色ＯＢ積算値Ｇｏｂ，Ｒｏｂ，Ｂｏｂを用いて、上記式（１）〜（３）に示されるように、対応する色同士で積算値からＯＢ積算値を減算した各色の減算値Ｇｓ，Ｒｓ，Ｂｓが算出される。この後に、減算値Ｇｓ，Ｒｓ，Ｂｓと、緑色適正ＷＢゲインＧｇ０とを用いて、上記式（４），（５）により、赤色適正ＷＢゲインＲｇ０と、青色適正ＷＢゲインＢｇ０とが求められる。
【００４９】
さらに、上記式（６），（７）により、赤色適正ＷＢゲインＲｇ０に赤色色味係数αが乗算され、青色適正ＷＢゲインＢｇ０に色味用係数βが乗算されて、赤色補正ＷＢゲインＲｇ１，青色補正ＷＢゲインＢｇ１がそれぞれ算出される。そして、赤色補正ＷＢゲインＲｇ１，青色補正ＷＢゲインＢｇ１が、緑色適正ＷＢゲインＧｇ０とともに、画像信号処理部５４に設定され、これ以降の撮影では赤色補正ＷＢゲインＲｇ１，青色補正ＷＢゲインＢｇ１、緑色適正ＷＢゲインＧｇ０とが用いられてホワイトバランスの補正が行われる。
【００５０】
したがって、ＲＷＢモードでの設定指示後では、撮影で得られる各赤色画像データは、画像信号処理部５４で上記のように設定されている赤色補正ＷＢゲインＲｇ１が乗算され、青色画像データには青色補正ＷＢゲインＢｇ１が乗算される。また、緑色画像データには、緑色用ホワイトバランスゲインＧｇ０が乗算される。そして、このようにして得られる画像データに基づいてスルー画像が表示される。また、レリーズボタン１８を押圧して静止画の撮影を行えば、同様にホワイトバランスの処理がされた各色画像データがγ補正処理が施されてから、ＹＣ変換処理回路５５，圧縮伸長処理回路５６での処理が施されて、メモリカード２２に書き込まれる。
【００５１】
例えば、中性色味を選択した場合には、それぞれ値「１」の各色味係数α，βがＥＥＰＲＯＭ３３から読み出され、これらが赤色，青色の各適正ＷＢゲインＲｇ０，Ｂｇ０に乗算されることにより、赤色補正ＷＢゲインＲｇ１，青色補正ゲインＢｇ１が算出される。このため、結果的には各色の適正ＷＢゲインでホワイトバランスの補正を行ったことになるので、撮影された被写体画像に色味が付くことはなく、被写体の色が正確に再現される。
【００５２】
一方、例えば暖色系色味を選択した場合には、「１」よりも大きい赤色色味係数αと、「１」よりも小さい青色色味係数βとがＥＥＰＲＯＭ３３から読み出され、これらを用いて赤色補正ＷＢゲインＲｇ１，青色補正ゲインＢｇ１が算出される。そして、これらの赤色補正ＷＢゲインＲｇ１，青色補正ゲインＢｇ１と、緑色適正ＷＢゲインＧｇ０を用いてホワイトバランスの補正が行われるから、撮影される被写体画像は、青色成分が弱くされるとともに赤色成分が強くされて、全体的に黄色味及び赤色味を持つ画像となる。
【００５３】
他方、ＡＷＢモードを選択した場合にも、色味を選択するが、この色味の選択はＡＷＢモード中では任意のタイミングで変更することができる。ＡＷＢモードの場合には、赤色適正ＷＢゲインＲｇ０，青色適正ＷＢゲインＢｇ０が撮影中に得られる各色の画像データから決定され、赤色，青色の適正ＷＢゲインＲｇ０，Ｂｇ０に選択された色味の色味係数α，βが乗算されて、赤色補正ＷＢゲインＲｇ１，青色補正ゲインＢｇ１が算出され、画像信号処理部５４に設定される。
【００５４】
以降、ＲＷＢモードと同様にして画像データのホワイトバランスの補正が行われ、選択された色味で被写体画像を撮影することができる。また、このＡＷＢモードでは、光源の色温度が変化すると、その変化に応答して赤色適正ＷＢゲインＲｇ０，青色適正ＷＢゲインＢｇ０が算出され、これらに選択されている色味の色味係数α，βを乗算した赤色補正ＷＢゲインＲｇ１，青色補正ゲインＢｇ１が算出される。そして、赤色補正ＷＢゲインＲｇ１，青色補正ゲインＢｇ１と、緑色適正ＷＢゲインＧｇ０が画像信号処理回路５４に再設定される。これにより、光源の色温度の変化に応じてホワイトバランスが再調整されても、色味が保持される。
【００５５】
上記のように色味係数α，βで適正ＷＢゲインを増減し、得られる補正ＷＢゲインをホワイトバランス用のゲインとしているので、操作者は簡単に色味を付けたホワイトバランスの設定を行うことができる。また、オートホワイトバランスでも色味を付けた撮影が可能になる。
【００５６】
なお、ＲＷＢモード下において、赤色適正ＷＢゲイン，青色適正ＷＢゲインを次に設定指示が行われるまで保持しておき、設定指示の前に色味選択が変更されたときに、その保持しておいた赤色適正ＷＢゲイン，青色適正ＷＢゲインを用いて、赤色補正ＷＢゲイン，青色補正ＷＢゲインを再算出するようにしてもよい。また、光源の種類をユーザが設定し、その設定された光源に対して予め用意された適正ＷＢゲインを用いるプリセットモードにも本発明を利用することができる。
【００５７】
上記実施形態では、デジタルカメラを例に挙げて説明を行ったが、本発明は、デジタルカメラに限定されるものではなく、ビデオカメラ等の各種撮影装置，カメラ付き携帯電話等にも適用することができる。また、本発明では、複数の撮影装置に対して色味を付けた撮影設定を行う場合に、各撮影装置をリセットホワイトバランスでホワイトバランスを調整した後に、それぞれの撮影装置に色味係数を設定するようにすれば、各撮影装置に一律に色味係数を設定するだけの作業とすることができ、色味の設定作業を簡単にすることができる。。
【図面の簡単な説明】
【００５８】
【図１】本発明を実施したデジタルカメラの正面斜視図である。
【図２】デジタルカメラの背面斜視図である。
【図３】デジタルカメラの電気的構成を示した説明図である。
【図４】ゲイン設定に関する機能ブロックを示すものである。
【図５】ホワイトバランスの手順を説明するフローチャートである。
【符号の説明】
【００５９】
１０  デジタルカメラ
１５  ＣＣＤイメージセンサ
５３  ＷＢ設定回路
５４  画像信号処理回路
【図１】
2006020165.tif 000003
【図２】
2006020165.tif 000004
【図３】
2006020165.tif 000005
【図４】
2006020165.tif 000006
【図５】
2006020165.tif 000007